(57)【要約】【課題】従来の釣りカバンは、カバン本体が一つの大きな収納箱であり、カバン本体の外側に幾つかの収納ポケットを備えていた。カバンの外側の収納ポケットに収納したものは移動中に衝撃や外圧を受けやすく、カバンの内側に一括して収納したものは混じりあって破損しやすかった。また使用する場合に道具を探しにくいという不便さがあった。【解決手段】本発明の釣りカバンのチャックを上げてカバン全体を開くと、各種釣り道具を簡単に出し入れすることが出来る。カバンの内部は様々な収納機能を備えており、釣り竿とリール、餌、手袋など各種釣り道具をそれぞれ分類して収納することが出来る。これにより、道具が探しやすく、またお互い混ざったり傷ついたりすることなく出し入れが出来る。【選択図】図２
2006175071.tif 000002
【特許請求の範囲】
【請求項１】
携帯用釣りカバンの内部を完全に開放し、両側蓋との結合部分にジッパーを設けたカバン本体と、強い摩擦が発生しないように一定の間隔でカバン本体内部に部品が付着・設置して釣り道具を保管できるように表面にリングまたはポケットがついている多数の分離シートを含まれてあるのを特徴とする釣りカバン。
【請求項２】
上記分離シートは下部には必要によって着脱が可能なようにブラケットを設置しカバン本体には使用者の操作によりブラケットと結合及び分離が出来るようにストッパーを設置したヘッドレールが設置してあるのを特徴とする、請求項１記載の釣りカバン。
【発明の詳細な説明】
【技術分野】
【０００１】本発明は、釣りカバンにおいて、カバンのチャックを上げてカバン全体を完全に開き、各種釣り道具を簡単に出し入れすることが出来る技術に関する。
【背景技術】
【０００２】従来の釣りカバンは、カバン本体が一つの大きな収納箱であり、カバン本体の外側に多数の小さな収納ポケットを備えている形状である。本体外側の収納ポケットは小さい形状のものが多く、道具を収納するのに不充分な大きさであるため、実際はカバン本体の内部に全ての道具を保管していた。更にカバン本体内部を完全に開放出来ない形状が多く、必要な道具を探しにくい不便さがあった。（例えば、特許文献１参照）
【特許文献１】特開２００３−２５９７８４
【発明の開示】
【発明が解決しようとする課題】
【０００３】従来の釣りバッグは担いで移動する間にカバン内部の道具が互いにぶつかり合って破損する現象が起こりやすい。また、カバン本体内部を完全に開放出来ず、釣り道具もカバン内部で混ざり合うため、必要な道具を取り出す際に、探すのが難しいという不便さがあった。
そこで、本発明は道具の収納を固定し、取り出す際に判別しやすいようにすることを課題とする。
【課題を解決するための手段】
【０００４】上記の課題を解決するため、本発明の釣りカバンは内部を完全に開放するように両方の蓋との結合部分にジッパーを備えている。カバン内部には釣り道具を保管するために表面にポケットを備えた複数の分離シートを設けている。
【発明の効果】
【０００５】本発明は以上説明した形態で実施され、以下に記載される効果を奏する。【０００６】釣りカバン本体をジッパー操作だけで手軽に開放出来、携帯するような状態で使用することが出来る。【０００７】釣りカバンに保管する道具の形と容積に応じて収納空間に保管出来るので、収納した道具が損傷しにくくなる。【０００８】釣りカバンの収納空間を使用者が分類して使用出来るので道具の識別が容易となり、紛失する可能性が低くなる。
【発明を実施するための最良の形態】
【０００９】本発明おいては、分離シートがカバン本体と着脱が出来るように下部にブラケットを設置し、カバン本体には使用者の操作によって上記ブラケットと結合及び分離が出来るようにストッパーが入ったヘッドレールを設置している。
【実施例】
【００１０】図１は釣りカバンを書いた図面である。図１によればカバン本体（１０）全体を開放するようにカバン本体と蓋（１２）が結合する場所にジッパーを設けている。カバン本体を完全に開放できるように四面の中で一面を残して三面は全てジッパーで連結している。【００１１】図２はカバン本体を完全に開放状態にしてある釣りカバンを表現した図面である。図２によれば、ジッパー（１４）を完全にオープンにすればカバン本体が平面の状態に完全に開放出来る。カバン内部が完全に開放出来るので道具を取り出す、あるいは道具を保管するとき場所を正確に確認することが出来る。【００１２】カバン本体と蓋が結合してある面に多数の分離シート（２２）を設置している。上記分離シートには各種釣り道具等が保管しやすいようにリング（２４）とポケット（２６）のような収納道具を備えている。釣り竿のように長くて幅が狭い道具はリングを利用して簡単に収納出来る。また必要時には取り出しやすい。【００１３】リール餌針のような各種道具は種類別に分類してポケット（２６）に保管する。釣り道具は形も大きさも違うので適した大きさのポケットを選択し、保管する。ポケットは道具がこぼれないようにジッパーが設置され、内部を密閉することが出来る。またポケットから離脱する恐れがない道具は入り口が開放してある形のポケットに収納することも出来る。【００１４】分離シート（２２）とは別にカバン本体に直接ポケットを付着することも出来る。【００１５】分離シート（２２）をカバン本体内部に設置する場合、収納してある釣り道具が直接露出していなくても強い摩擦と圧力が発生すれば損傷する可能性があるので、一定の間隔を保って分離シートを設置することが出来る。【００１６】図３は、分離シートとカバン本体の結合模様の図面である。分離シートはカバン本体に着脱が出来るように下部にブラケット（１８）を設置してあり、カバン本体には使用者の使用する釣り道具の種類と数に応じてブラケットと結合および分離が可能になるように、ストッパーのあるヘッドレールが設置されている。【００１７】図４は図３の断面を正面から見た断面図である。ヘッドレール（２８）にブラケットが挿入してある模様の図面である【００１８】図５は図３の断面を正面から見た断面図である。ブラケットを挿入・設置した後、ストッパーを利用してブラケットを固定してある模様の図面である。【００１９】図４と図５によれば、分離シートにあるブラケットはカバン本体に付着設置してあるヘッドレールに挿入・設置出来る。ストッパーがあるのでブラケットがヘッドレールから離脱するのを防ぐ。【００２０】分離シート（２２）とカバン本体にはブラケットとヘッドレールを設置する代わり、ジッパーが設置することが出来、これによりヘッドレールから離脱するのを防ぐことが出来る。
【図面の簡単な説明】
【００２１】
【図１】釣りカバンの斜視図。
【図２】釣りカバンを開放した状態の斜視図。
【図３】分離シートとカバン本体が結合した図面
【図４】図３断面を正面から見た図。ヘッドレール（２８）にブラケットが挿入してある状態
【図５】図３断面を正面から見た図。ヘッドレール（２８）にブラケットが挿入しストッパーで固定した状態
【符号の説明】
【００２２】１０…カバン本体
１２…蓋
１４…ジッパー
１６…肩掛け紐
１８…ブラケット
２２…分離シート
２４…リング
２６…ポケット
２８…ヘッドレール
２９…ストッパー
３０…釣竿
【図１】
2006175071.tif 000003
【図２】
2006175071.tif 000004
【図３】
2006175071.tif 000005
【図４】
2006175071.tif 000006
【図５】
2006175071.tif 000007